(57)【要約】 【課題】  複数台のカメラからのビデオ信号をカメラコントロールユニット（ＣＣＵ）を介して選択的にモニタリングする際に、ビデオスイッチャを不要にし且つケーブルの本数を削減する。【解決手段】  カメラ１１からのビデオ信号を２つの端子Ｐ，Ｗから出力するビデオ出力モードと、端子Ｐ，Ｗ同士を接続して一方の端子への入力ビデオ信号を残りの端子から出力する信号スルーモードとの切替手段２４，２５を備えた複数のＣＣＵ１−１〜１−４を、端子Ｐ，Ｗを用いてカスケード接続し、カスケード接続した両端のＣＣＵを、カスケード接続に用いない端子Ｐ，Ｗを用いてモニター１７，１８に接続し、各ＣＣＵの切替手段２４，２５を制御して１台のＣＣＵ１−２をビデオ出力モードにして残りのＣＣＵを信号スルーモードにすることにより、ビデオ出力モードにしたＣＣＵ１−２の端子Ｐ，Ｗからの出力ビデオ信号ＰＩＸ２，ＷＦＭ２を他のＣＣＵを通過させてモニター１７，１８に供給する。【選択図】      図３
2005064816.tif 000002
【特許請求の範囲】
【請求項１】
カメラから送られたビデオ信号を前記カメラ以外の機器に供給するカメラコントロールユニットにおいて、
２つの信号端子と、
前記カメラから送られたビデオ信号を前記２つの信号端子から出力するビデオ出力モードと、前記２つの信号端子同士を接続させて一方の信号端子に入力するビデオ信号をそのまま残りの一方の信号端子から出力する信号スルーモードとの切り替えを行う切替手段と
を備えたことを特徴とするカメラコントロールユニット。
【請求項２】
請求項１に記載のカメラコントロールユニットにおいて、
前記２つの信号端子から出力するビデオ信号のｆ特を前補償する回路をさらに備えたことを特徴とするカメラコントロールユニット。
【請求項３】
請求項１に記載のカメラコントロールユニットにおいて、
前記切替手段は、カメラコントロールユニットの電源がオフになったとき、信号スルーモードへの切り替えを行うことを特徴とするカメラコントロールユニット。
【請求項４】
複数台のカメラと、
前記複数台のカメラに１対１に対応しており、対応するカメラから送られたビデオ信号を前記カメラ以外の機器に供給する複数台のカメラコントロールユニットと
を有し、前記複数台のカメラコントロールユニットから出力されるビデオ信号を選択的にモニタリングするモニタリングシステムにおいて、
各々の前記カメラコントロールユニットは、
２つの信号端子と、
対応するカメラから送られたビデオ信号を前記２つの信号端子から出力するビデオ出力モードと、前記２つの信号端子同士を接続させて一方の信号端子に入力するビデオ信号をそのまま残りの一方の信号端子から出力する信号スルーモードとの切り替えを行う切替手段と
を備えており、
前記複数台のカメラコントロールユニットが、前記２つの信号端子を用いてカスケード接続されるとともに、カスケード接続された両端のカメラコントロールユニットが、前記２つの信号端子のうちカスケード接続に用いられていないほうの信号端子を用いてそれぞれ別々のモニターに接続されており、
前記複数台のカメラコントロールユニットの前記切替手段を制御して、１台のカメラコントロールユニットのみを前記ビデオ出力モードにさせて残りのカメラコントロールユニットを前記信号スルーモードにさせる操作手段を設けたことを特徴とするモニタリングシステム。
【請求項５】
請求項４に記載のモニタリングシステムにおいて、
前記カメラコントロールユニットは、前記２つの信号端子から出力するビデオ信号のｆ特を前補償する回路をさらに備えたことを特徴とするモニタリングシステム。
【請求項６】
請求項４に記載のモニタリングシステムにおいて、
前記切替手段は、カメラコントロールユニットの電源がオフになったとき、信号スルーモードへの切り替えを行うことを特徴とするモニタリングシステム。
【発明の詳細な説明】
【技術分野】
【０００１】
本発明は、カメラコントロールユニットと、複数台のカメラからのビデオ信号をカメラコントロールユニットを介して選択的にモニタリングするモニタリングシステムに関する。
【背景技術】
【０００２】
テレビジョン放送局のスタジオ内や、テレビジョン放送用の中継車内では、ビデオカメラと他の機器とのインタフェースの役割を果たすカメラコントロールユニット（ＣＣＵ）が、複数台のビデオカメラに１対１に対応させて設けられており、例えば各ビデオカメラからのビデオ信号をモニタリングする場合にも、このＣＣＵから出力されたビデオ信号を波形モニターやピクチャーモニターに供給するようにされている（例えば、特許文献１参照。）。
【０００３】
図１は、こうしたモニタリングシステムの構成例を示す。各ビデオカメラ（図では４台のビデオカメラ）１１に、カメラコントロールユニット（ＣＣＵ）１２が１対１に対応させて接続されている。ＣＣＵ１２は、ピクチャーモニター用のビデオ信号ＰＩＸを出力するための信号端子Ｐや、波形モニター用のビデオ信号ＷＦＭを出力するための信号端子Ｗを有しており、対応するビデオカメラ１１から送られたＹ色差信号等のビデオ信号をエンコーダ（図示略）でＮＴＳＣ信号等のＶＢＳ信号に変換して、これらの端子から出力する。
【０００４】
各ＣＣＵ１２の信号端子Ｐ，Ｗは、接続ケーブルＣ１〜Ｃ８でビデオスイッチャ１３につながれている。ビデオスイッチャ１３は、任意の１台のＣＣＵ１２からのビデオ信号ＰＩＸ及びＷＦＭを選択するためのセレクタであり、各接続ケーブルＣ１〜Ｃ８でのケーブルロスによる各入力ビデオ信号の信号劣化を補償するためのｆ補償回路１４と、ピクチャーモニター用のビデオ信号ＰＩＸにキャラクタ信号を合成するためのミキシング回路１５とを含んでいる。
【０００５】
スイッチャコントロールパネル１６は、所望の１台のＣＣＵ１２（ビデオ信号をモニタリングしたい所望の１台のビデオカメラ１１に対応しているＣＣＵ１２）を指定するための操作パネルであり、ビデオスイッチャ１３には、このスイッチャコントロールパネル１６から操作結果を示す制御信号ＣＴＬが与えられる。
【０００６】
ビデオスイッチャ１３は、この制御信号ＣＴＬに基づき、指定されたＣＣＵ１２からのビデオ信号ＰＩＸ，ＷＦＭを選択して出力する。ビデオスイッチャ１３から出力したビデオ信号ＰＩＸ，ＷＦＭは、それぞれビデオスイッチャ１３からピクチャーモニター１７，波形モニター１８に送られて、ピクチャーモニター１７に映像として表示されるとともに波形モニター１８に波形やベクトルとして表示される。
【特許文献１】特開平９−２３８２７７号公報（段落番号０００２、図５）
【発明の開示】
【発明が解決しようとする課題】
【０００７】
しかし、こうした従来のモニタリングシステムでは、ＣＣＵとピクチャーモニターや波形モニターとの間にビデオスイッチャを設けなければならないので、システム全体を省スペース化したり低コスト化しようとする際に、このビデオスイッチャの存在が障壁になっていた。
【０００８】
また、従来のモニタリングシステムでは、各ＣＣＵとビデオスイッチャとを接続するためにＣＣＵの台数の２倍の本数（図１の例では８本）の接続ケーブルが必要になるので、この接続ケーブルの本数の多さが、やはりシステム全体の省スペース化や低コスト化に対する障壁になっていた。
【０００９】
本発明は、上述の点に鑑み、複数台のカメラからのビデオ信号をカメラコントロールユニットを介して選択的にモニタリングする際に、ビデオスイッチャを不要にするとともに接続ケーブルの本数を削減することを課題としてなされたものである。
【課題を解決するための手段】
【００１０】
この課題を解決するために、本出願人は、カメラから送られたビデオ信号をカメラ以外の機器に供給するカメラコントロールユニット（ＣＣＵ）において、２つの信号端子と、カメラから送られたビデオ信号をこの２つの信号端子から出力するビデオ出力モードと、この２つの信号端子同士を接続させて一方の信号端子に入力するビデオ信号をそのまま残りの一方の信号端子から出力する信号スルーモードとの切り替えを行う切替手段とを備えたＣＣＵを提案する。
【００１１】
このＣＣＵは、カメラから送られたビデオ信号を２つの信号端子から出力するビデオ出力モードと、この２つの信号端子同士を接続させて一方の信号端子に入力するビデオ信号をそのまま残りの一方の信号端子から出力する信号スルーモードとの切り替えを行うことが可能になっている。
【００１２】
このＣＣＵを複数台のカメラに１対１に対応させて複数台設け、それらの複数台のＣＣＵをこの２つの信号端子を用いてカスケード接続し、且つ、カスケード接続した両端のＣＣＵを、この２つの信号端子のうちカスケード接続に用いていないほうの信号端子を用いて別々のモニターに接続して、各ＣＣＵの切替手段を制御して所望の１台のＣＣＵのみをビデオ出力モードにさせて残りのＣＣＵを信号スルーモードにすると、ビデオ出力モードにしたＣＣＵの２つの信号端子から出力した２系統のビデオ信号が、他のＣＣＵのこの２つの信号端子をそのまま通過してそれぞれ別々のモニターに供給される。
【００１３】
したがって、どのＣＣＵをビデオ出力モードにするかを選択することにより、図１に示したような従来のモニタリングシステムとは異なり、ビデオスイッチャを設けることなく、複数台のカメラのうちの所望のカメラからのビデオ信号を２つのモニター（例えばピクチャーモニター及び波形モニター）でモニタリングすることができる。
【００１４】
そして、モニタリングに必要な接続ケーブルの本数は、ＣＣＵをカスケード接続するためのＣＣＵの台数Ｎよりも１本少ない（Ｎ−１）本の接続ケーブルと、カスケード接続した両端のＣＣＵをそれぞれモニターに接続するための２本の接続ケーブルとの、合計（Ｎ＋１）本で足りる。したがって、図１に示したような従来のモニタリングシステムではＣＣＵの台数の２倍の本数（２Ｎ本）の接続ケーブルを必要としていたのに対し、接続ケーブルの本数も削減される。
【００１５】
このようにして、複数台のカメラからのビデオ信号をＣＣＵを介して選択的にモニタリングする際に、ビデオスイッチャが不要になるとともに接続ケーブルの本数が削減される。
【００１６】
なお、このＣＣＵにおいて、一例として、この２つの信号端子から出力するビデオ信号のｆ特を前補償する回路をさらに備えることが好適である。それにより、ＣＣＵをカスケード接続する接続ケーブルやカスケード接続した両端のＣＣＵをモニターに接続する接続ケーブルでのケーブルロスによる各ＣＣＵの出力ビデオ信号の信号劣化を、事前に補償することができるようになる。
【００１７】
また、このＣＣＵにおいて、一例として、この切替手段は、ＣＣＵの電源がオフになったとき、信号スルーモードへの切り替えを行うことが好適である。それにより、カスケード接続したＣＣＵのうちの一部のＣＣＵの電源をオフにしている場合（そのＣＣＵに対応させたビデオカメラを使用しない場合など）でも、他のＣＣＵから出力したビデオ信号を、その電源をオフにしたＣＣＵもそのまま通過してモニターに供給させることができるようになる。
【００１８】
次に、本出願人は、複数台のカメラと、これらの複数台のカメラに１対１に対応しており、対応するカメラから送られたビデオ信号をこれらのカメラ以外の機器に供給する複数台のカメラコントロールユニット（ＣＣＵ）とを有し、これらの複数台のＣＣＵから出力されるビデオ信号を選択的にモニタリングするモニタリングシステムにおいて、各ＣＣＵは、２つの信号端子と、対応するカメラから送られたビデオ信号をこの２つの信号端子から出力するビデオ出力モードと、この２つの信号端子同士を接続させて一方の信号端子に入力するビデオ信号をそのまま残りの一方の信号端子から出力する信号スルーモードとの切り替えを行う切替手段とを備えており、これらの複数台のＣＣＵがこの２つの信号端子を用いてカスケード接続されるとともに、カスケード接続された両端のＣＣＵが、この２つの信号端子のうちカスケード接続に用いられていないほうの信号端子を用いてそれぞれ別々のモニターに接続されており、これらの複数台のＣＣＵのこの切替手段を制御して、１台のＣＣＵのみをビデオ出力モードにさせて残りのＣＣＵを信号スルーモードにさせる操作手段を設けたモニタリングシステムを提案する。
【００１９】
このモニタリングシステムは、前述の本発明に係るＣＣＵを複数台のカメラに１対１に対応させて複数台設け、これらの複数台のＣＣＵをこの２つの信号端子を用いてカスケード接続し、且つ、カスケード接続した両端のＣＣＵを、この２つの信号端子のうちカスケード接続に用いていないほうの信号端子を用いて別々のモニターに接続するとともに、操作手段によってこれらの複数台のＣＣＵのうちの所望の１台のＣＣＵのみをビデオ出力モードにさせて残りのＣＣＵを信号スルーモードにさせることができるようにしたものである。
【００２０】
したがって、どのＣＣＵをビデオ出力モードにするかを操作手段で選択することにより、図１に示したような従来のモニタリングシステムとは異なり、ビデオスイッチャを設けることなく、複数台のカメラのうちの所望のカメラからのビデオ信号を２つのモニター（例えばピクチャーモニター及び波形モニター）でモニタリングすることができる。
【００２１】
そして、モニタリングに必要な接続ケーブルの本数は、ＣＣＵをカスケード接続するためのＣＣＵの台数Ｎよりも１本少ない（Ｎ−１）本の接続ケーブルと、カスケード接続した両端のＣＣＵをそれぞれモニターに接続するための２本の接続ケーブルとの、合計（Ｎ＋１）本で足りる。したがって、図１に示したような従来のモニタリングシステムではＣＣＵの台数の２倍の本数（２Ｎ本）の接続ケーブルを必要としていたのに対し、接続ケーブルの本数も削減される。
【００２２】
このようにして、複数台のカメラからのビデオ信号をＣＣＵを介して選択的にモニタリングする際に、ビデオスイッチャが不要になるとともに接続ケーブルの本数が削減される。
【００２３】
なお、このモニタリングシステムにおいても、一例として、ＣＣＵのこの２つの信号端子から出力するビデオ信号のｆ特を前補償する回路をさらに備えることが好適である。それにより、ＣＣＵをカスケード接続する接続ケーブルやカスケード接続した両端のＣＣＵをモニターに接続する接続ケーブルでのケーブルロスによる各ＣＣＵの出力ビデオ信号の信号劣化を、事前に補償することができるようになる。
【００２４】
また、このモニタリングシステムにおいても、一例として、ＣＣＵの切替手段は、ＣＣＵの電源がオフになったとき、信号スルーモードへの切り替えを行うことが好適である。それにより、カスケード接続したＣＣＵのうちの一部のＣＣＵの電源をオフにしている場合（そのＣＣＵに対応させたビデオカメラを使用しない場合など）でも、他のＣＣＵから出力したビデオ信号を、その電源をオフにしたＣＣＵもそのまま通過してモニターに供給させることができるようになる。
【発明の効果】
【００２５】
本発明によれば、複数台のカメラからのビデオ信号をカメラコントロールユニット（ＣＣＵ）を介して選択的にモニタリングする際に、ビデオスイッチャが不要になるとともに接続ケーブルの本数が削減される。したがって、複数台のカメラからのビデオ信号をＣＣＵを介して選択的にモニタリングするモニタリングシステムを、省スペース化するとともに低コスト化することができるという効果が得られる。
【００２６】
また、ＣＣＵをカスケード接続する接続ケーブルやカスケード接続した両端のＣＣＵをモニターに接続する接続ケーブルでのケーブルロスによる各ＣＣＵの出力ビデオ信号の信号劣化を、事前に補償することができるという効果も得られる。
【００２７】
また、カスケード接続したＣＣＵのうちの一部のＣＣＵの電源をオフにしている場合（そのＣＣＵに対応させたビデオカメラを使用しない場合など）でも、他のＣＣＵから出力したビデオ信号を、その電源をオフにしたＣＣＵもそのまま通過してモニターに供給させることができるという効果も得られる。
【発明を実施するための最良の形態】
【００２８】
以下、図面を用いて本発明を具体的に説明する。図２は、本発明に係るカメラコントロールユニット（ＣＣＵ）のうちビデオ信号のモニタリングに関連する部分の構成を示すブロック図である。
【００２９】
このＣＣＵ１では、ピクチャーモニター用のビデオ信号ＰＩＸを出力するための信号端子Ｐが、２入力１出力のリレースイッチ２４の出力側に接続されるとともに、波形モニター用のビデオ信号ＷＦＭを出力するための信号端子Ｗも、２入力１出力のリレースイッチ２５の出力側に接続されている。
【００３０】
リレースイッチ２４，２５の前段には、それぞれｆ特前補償回路２２，２３が設けられている。ｆ特前補償回路２２の出力信号は、リレースイッチ２４の一方の入力端に入力し、ｆ特前補償回路２３の出力信号も、リレースイッチ２５の一方の入力端に入力する。リレースイッチ２４の残りの一方の入力端は、リレースイッチ２５の残りの一方の入力端とつながれている。ｆ特前補償回路２２，２３は、それぞれ補償量を調整可能になっている。
【００３１】
ｆ特前補償回路２２の前段には、ピクチャーモニター用のビデオ信号ＰＩＸにキャラクタ信号を合成するためのミキシング回路２１が設けられている。ＣＣＵ１では、対応するビデオカメラ（図示略）から送られたＹ色差信号等のビデオ信号が、エンコーダ（図示略）でＮＴＳＣ信号等のＶＢＳ信号に変換されて、ミキシング回路２１及びｆ特前補償回路２３に供給される。
【００３２】
リレースイッチ２４，２５が、それぞれｆ特前補償回路２２，２３側に切り替えられた状態では、ミキシング回路２１に供給されたＶＢＳ信号がｆ特前補償回路２２及びリレースイッチ２４を介して信号端子Ｐから出力されるとともに、ｆ特前補償回路２３に供給されたＶＢＳ信号がリレースイッチ２５を介して信号端子Ｗから出力される。
【００３３】
他方、リレースイッチ２４，２５が、互いにつながれている入力端側に切り替えられた状態では、信号端子Ｐと信号端子Ｗとが接続されるので、外部から信号端子Ｐ，Ｗのうちのいずれか一方の信号端子に入力したビデオ信号が、そのまま残りの一方の信号端子から外部に出力される。
【００３４】
このように、このＣＣＵ１は、リレースイッチ２４，２５によって、ビデオカメラから送られたビデオ信号をそれぞれピクチャーモニター用のビデオ信号ＰＩＸ，波形モニター用のビデオ信号ＷＦＭとして信号端子Ｐ，Ｗから出力するモード（「ビデオ出力モード」と呼ぶことにする）と、信号端子Ｐ，Ｗ同士を接続させて一方の信号端子に入力するビデオ信号をそのまま残りの一方の信号端子から出力するモード（「信号スルーモード」と呼ぶことにする）との切り替えを行うことができるようになっている。
【００３５】
ＣＣＵ１は、外部から当該ＣＣＵ１を指定する制御信号が制御入力端子ＩＮに入力したとき、リレースイッチ２４，２５をｆ特前補償回路２２，２３側に切り替えることにより、ビデオ出力モードへの切り替えを行い、それ以外のときには、リレースイッチ２４，２５を互いにつながれている入力端側に切り替えることにより、信号スルーモードへの切り替えを行うようになっている。
【００３６】
また、ＣＣＵ１の電源がオフになったときには、リレースイッチ２４，２５が互いにつながれている入力端側に切り替わることにより、信号スルーモードに切り替わるようになっている。
【００３７】
図３は、このＣＣＵ１を用いたモニタリングシステムの構成例を示しており、図１と共通する部分には同一符号を付している。このモニタリングシステムは、４台のビデオカメラ１１にＣＣＵ１を１対１に対応させて接続したものであり、各ＣＣＵ１を区別するために上から順にＣＣＵ1−１，ＣＣＵ1−２，ＣＣＵ1−３，ＣＣＵ1−４と表記している。各ＣＣＵ1−１〜ＣＣＵ1−４の内部構成は、リレースイッチ２４，２５以外は図示を省略している。
【００３８】
また、ＣＣＵ1−１のピクチャーモニター用のビデオ信号ＰＩＸ，波形モニター用のビデオ信号ＷＦＭをそれぞれＰＩＸ１，ＷＦＭ１と表記し、ＣＣＵ1−２のビデオ信号ＰＩＸ，ＷＦＭをそれぞれＰＩＸ２，ＷＦＭ２と表記し、ＣＣＵ1−３のビデオ信号ＰＩＸ，ＷＦＭをそれぞれＰＩＸ３，ＷＦＭ３と表記し、ＣＣＵ1−４のビデオ信号ＰＩＸ，ＷＦＭをそれぞれＰＩＸ４，ＷＦＭ４と表記している。
【００３９】
これらの４台のＣＣＵ1−１〜1−４は、ＣＣＵ1−１の信号端子ＷとＣＣＵ1−２の信号端子Ｐとを接続ケーブルＣ１でつなぎ、ＣＣＵ1−２の信号端子ＷとＣＣＵ1−３の信号端子Ｐを接続ケーブルＣ２でつなぎ、ＣＣＵ1−３の信号端子ＷとＣＣＵ1−４の信号端子Ｐを接続ケーブルＣ３でつなぐというようにして、信号端子Ｐ及びＷを用いてカスケード接続されている。
【００４０】
また、このようにカスケード接続された両端のＣＣＵ1−１，ＣＣＵ1−４のうち、ＣＣＵ1−１は、カスケード接続に用いられていない信号端子Ｐを用いて接続ケーブル５でピクチャーモニター１７に接続されており、ＣＣＵ1−４は、カスケード接続に用いられていない信号端子Ｗを用いて接続ケーブル４で波形モニター１８に接続されている。
【００４１】
ＣＣＵ1−１〜1−４のうち所望の１台のＣＣＵ（ビデオ信号をモニタリングしたい所望の１台のビデオカメラ１１に対応しているＣＣＵ）を指定するための操作パネルであるスイッチャコントロールパネル１６からは、各ＣＣＵ1−１〜ＣＣＵ1−４の制御入力端子ＩＮに、操作結果を示す制御信号ＣＴＬが入力する。
【００４２】
このモニタリングシステムにおいて、各ビデオカメラ１１からのビデオ信号をピクチャーモニター１７及び波形モニター１８で選択的にモニタリングする様子は、次の通りである。
【００４３】
例えばスイッチャコントロールパネル１６でＣＣＵ1−２を指定する操作を行うと、ＣＣＵ1−２が指定されたことを示す制御信号ＣＴＬがスイッチャコントロールパネル１６から各ＣＣＵ1−１〜ＣＣＵ1−４に与えられる。
【００４４】
このとき、ＣＣＵ1−２では、制御信号ＣＴＬで当該ＣＣＵ１−２が指定されているので、図３にも表しているように、リレースイッチ２４，２５がそれぞれｆ特前補償回路２２，２３（図２）側に切り替えられることにより、ビデオ出力モードになる。
【００４５】
これに対し、残りのＣＣＵ1−１，ＣＣＵ1−３，ＣＣＵ1−４では、制御信号ＣＴＬで当該ＣＣＵ1−１，ＣＣＵ1−３，ＣＣＵ1−４が指定されていないので、図３にも表しているように、リレースイッチ２４，２５が互いにつながれている入力端側に切り替えられることにより、信号スルーモードになる。
【００４６】
したがって、ＣＣＵ1−２の信号端子Ｐからは、図３にも表しているように、対応するビデオカメラ１１から送られたビデオ信号が、ピクチャーモニター用のビデオ信号ＰＩＸ２として信号端子Ｐから出力された後、接続ケーブルＣ１を通ってＣＣＵ1−１の信号端子Ｗに入力し、ＣＣＵ1−１の信号端子Ｐからそのまま出力されて、接続ケーブルＣ５を通ってピクチャーモニター１７に供給される。  
【００４７】
また、ＣＣＵ1−２の信号端子Ｗからは、図３にも表しているように、対応するビデオカメラ１１から送られたビデオ信号が、波形モニター用のビデオ信号ＷＦＭ２として信号端子Ｗから出力された後、接続ケーブルＣ２を通ってＣＣＵ1−３の信号端子Ｐに入力し、ＣＣＵ1−３の信号端子Ｗからそのまま出力され、接続ケーブルＣ３を通ってＣＣＵ1−４の信号端子Ｐに入力し、ＣＣＵ1−４の信号端子Ｗからそのまま出力されて、接続ケーブルＣ４を通って波形モニター１８に供給される。
【００４８】
これにより、スイッチャコントロールパネル１６で指定したＣＣＵ1−２に対応しているビデオカメラ１１からのビデオ信号を、ピクチャーモニター１７及び波形モニター１８でモニタリングすることができる。
【００４９】
ここではＣＣＵ1−２を指定した例について説明したが、ＣＣＵ1−１やＣＣＵ1−３やＣＣＵ1−４を指定した場合にも、同様にして、指定したＣＣＵの信号端子Ｐ，Ｗから出力したビデオ信号ＰＩＸ，ＷＦＭが、他のＣＣＵの信号端子Ｐ，Ｗをそのまま通過してピクチャーモニター１７，波形モニター１８に供給される。
【００５０】
このように、このＣＣＵ１を用いたモニタリングシステムでは、図１に示したような従来のモニタリングシステムとは異なり、ビデオスイッチャを設けることなく、複数台のビデオカメラからのビデオ信号を選択的にモニタリングすることができる。
【００５１】
そして、モニタリングに必要な接続ケーブルの本数は、ＣＣＵ１をカスケード接続するためのＣＣＵ１の台数Ｎよりも１本少ない（Ｎ−１）本の接続ケーブルと、カスケード接続した両端のＣＣＵ１をモニターに接続するための２本の接続ケーブルとの、合計（Ｎ＋１）本（図３のようにＣＣＵ１を４台用いた例では５本）で足りる。したがって、従来のモニタリングシステムではＣＣＵの台数の２倍の本数である２Ｎ本（図１のようにＣＣＵを４台用いた例では８本）の接続ケーブルを必要としていたのに対し、接続ケーブルの本数も削減される。
【００５２】
このようにして、複数台のカメラからのビデオ信号をＣＣＵを介して選択的にモニタリングする際に、ビデオスイッチャが不要になるとともに接続ケーブルの本数が削減される。したがって、複数台のカメラからのビデオ信号をＣＣＵを介して選択的にモニタリングするモニタリングシステムを、省スペース化するとともに低コスト化することができる。
【００５３】
また、ＣＣＵ１にｆ特前補償回路２２，２３を設けたことにより、ＣＣＵ１をカスケード接続する接続ケーブルやカスケード接続した両端のＣＣＵ１をピクチャーモニター，波形モニターに接続する接続ケーブルでのケーブルロスによる各ＣＣＵ１の出力ビデオ信号ＰＩＸ，ＷＦＭの信号劣化を、事前に補償することができる。
【００５４】
そして、図３にも表れているように、カスケード接続した各ＣＣＵ１から出力したビデオ信号ＰＩＸ，ＷＦＭがピクチャーモニター，波形モニターに入力するまでの経路長はＣＣＵ１によって異なるが、ｆ特前補償回路２２，２３は補償量を調整可能なので、それぞれの経路長に応じたｆ特前補償を行うことができる。
【００５５】
また、ＣＣＵ１の電源がオフになったとき、リレースイッチ２４，２５が互いにつながれている入力端側に切り替わることによって信号スルーモードに切り替わるので、カスケード接続したＣＣＵ１のうちの一部のＣＣＵ１の電源をオフにしている場合（そのＣＣＵ１に対応させたビデオカメラを使用しない場合など）でも、他のＣＣＵ１から出力したビデオ信号を、その電源をオフにしたＣＣＵ１もそのまま通過してピクチャーモニター，波形モニターに供給させることができる。
【００５６】
なお、以上の例では、ビデオ出力モードに切り替えたＣＣＵ１の信号端子Ｐ，Ｗからそれぞれビデオ信号ＰＩＸ，ＷＦＭを出力させるとともに、カスケード接続した両端のＣＣＵ１をピクチャーモニター，波形モニターに接続させている。しかし、別の例として、例えば、ビデオ出力モードに切り替えたＣＣＵ１の信号端子Ｐ，Ｗのうちの一方のみからビデオ信号を出力させるとともに、カスケード接続した両端のＣＣＵ１のうちこの出力ビデオ信号が通過するほうのＣＣＵ１のみをモニターに接続させることにより、１つのモニターでのみビデオ信号のモニタリングを行うようにしてもよい。その場合にも、ビデオスイッチャが不要であることから、やはり、モニタリングシステムを省スペース化するとともに低コスト化することができる。
【００５７】
また、図３には、ＣＣＵ１を直接スイッチャコントロールパネル１６に接続したモニタリングシステムを示した。しかし、これに限らず、ＣＣＵが、システム全体を制御するコマンドネットワークコントロールユニット（ＣＮＵ）を介してスイッチャコントロールパネル等の操作パネルに接続されるモニタリングシステムにも本発明を適用してよい。その場合には、ＣＮＵからの制御信号を入力するＣＣＵの入力端子が、図２及び図３に示したＣＣＵ１の制御入力端子ＩＮとして用いられる。
【図面の簡単な説明】
【００５８】
【図１】従来のモニタリングシステムの構成例を示す図である。
【図２】本発明のカメラコントロールユニットの主要部の構成を示す図である。
【図３】本発明のモニタリングシステムの構成例を示す図である。
【符号の説明】
【００５９】
１        カメラコントロールユニット（ＣＣＵ）
１−１    カメラコントロールユニット（ＣＣＵ）
１−２    カメラコントロールユニット（ＣＣＵ）
１−３    カメラコントロールユニット（ＣＣＵ）
１−４    カメラコントロールユニット（ＣＣＵ）
１１      ビデオカメラ
１６      スイッチャコントロールパネル
１７      ピクチャーモニター
１８      波形モニター
２１      ミキシング回路
２２      ｆ特前補償回路
２３      ｆ特前補償回路
２４      リレースイッチ
２５      リレースイッチ
Ｐ        信号端子
Ｗ        信号端子
Ｃ１      接続ケーブル
Ｃ２      接続ケーブル
Ｃ３      接続ケーブル
Ｃ４      接続ケーブル
Ｃ５      接続ケーブル
【図１】
2005064816.tif 000003
【図２】
2005064816.tif 000004
【図３】
2005064816.tif 000005